(57)【要約】【課題】  消防用ホースの一部に退避方向を示すＶ字指標を、前記ジャケットの織りにより表してなると共に、そのＶ字指標を美しく且つ摩耗された場合においても明瞭に表すことを目的とする。【解決手段】  環状に配置されたたて糸５と当該たて糸５に対して螺旋状に織り込んだよこ糸６とにより、前記たて糸５が密になるように斜文織組織により織成してなるジャケット２の内面に、内張り３を施してなる消防用ホース１において、前記ジャケット２の周方向の一部に、斜文線の方向が前記斜文織組織（以下「正斜文」と言う）とは逆となる斜文織組織（以下「逆斜文」と言う）を形成し、当該正斜文と逆斜文との一方の境界９から両側にたて糸５のほゞ同一本数に亙って、着色したたて糸１１と当該着色したたて糸１１より断面積において５〜４０％太い未着色又は別の色彩に着色したたて糸５とを交互に使用したことを特徴とする、消防用ホース【選択図】          図１
2019193685.tif 000002
【特許請求の範囲】
【請求項１】
環状に配置されたたて糸（５）と、当該たて糸（５）に対して螺旋状に織り込んだよこ糸（６）とにより、前記たて糸（５）が密になるように斜文織組織により織成してなるジャケット（２）の内面に、内張り（３）を施してなる消防用ホース（１）において、前記ジャケット（２）の周方向の一部に、斜文線の方向が前記斜文織組織（以下「正斜文」と言う）とは逆となる斜文織組織（以下「逆斜文」と言う）を形成し、当該正斜文と逆斜文との一方の境界（９）から両側にたて糸（５）のほゞ同一本数に亙って、着色したたて糸（１１）と、当該着色したたて糸（１１）より断面積において５〜４０％太い未着色又は別の色彩に着色したたて糸（１４）とを、交互に使用したことを特徴とする、消防用ホース
【請求項２】
前記着色したたて糸（１１）が、蓄光糸又は反射糸であることを特徴とする、請求項１に記載の消防用ホース
【請求項３】
前記ジャケット（２）が、たて糸（５、１１）とよこ糸（６）とを２／１斜文織組織により織られていることを特徴とする、請求項１又は２に記載の消防用ホース
【請求項４】
前記逆斜文を形成した部分全体に亙って、着色したたて糸（１１）と未着色又は別の色彩に着色したたて糸（５）とを交互に使用したことを特徴とする、請求項１、２又は３に記載の消防用ホース
【請求項５】
前記ジャケット（２）の周方向の複数個所に逆斜文を形成し、当該すべての逆斜文の箇所においても、前記正斜文と逆斜文との一方の境界（９）から両側に、たて糸（５）のほゞ同一本数に亙って、着色したたて糸（１１）と未着色又は別の色彩に着色したたて糸とを交互に使用したことを特徴とする、請求項１、２、３又は４に記載の消防用ホース
【発明の詳細な説明】
【技術分野】
【０００１】
本発明は環状に配置されたたて糸と当該たて糸に対して螺旋状に織り込んだよこ糸とよりなるジャケットの内面に、内張り材を施してなる消防用ホースに関するものであって、特に当該消防用ホースの一部に退避方向を示すＶ字指標を、前記ジャケットの織りにより表してなる、消防用ホースに関するものである。
【背景技術】
【０００２】
一般に消防用ホースは火災の際に消火活動に使用されるが、当該消火活動において消防士が煙に巻かれて方向を失うことが少なくない。特に建物内での消火活動においては、消防士が退避するべき方向を失い、それによって火に巻かれて焼死するといった痛ましい事故も生じている。
【０００３】
かかる事故を防ぐために、火災現場において必ず存在する消防用ホースは、一方が必ず火災現場の外において消防ポンプに接続されているため、当該消防用ホースに消防士が退避すべき方向を表示することが提案されている。
【０００４】
例えば特許第４９７９８４５号公報、特開２００４-１３２４４３号公報、実用新案登録第３０９１２９１号公報などにおいては、消防用ホースに矢印指標を設けることが提案されているが、この矢印指標は反射材や夜光塗料などの塗布材で表示するものであり、ホースが摩耗されたときなどに消えてしまう可能性があった。
【０００５】
また特許第６０９３８９３号公報や特許第６１１６７３２号公報においては、前記矢印指標をジャケットの織りにより表現することが提案されている。これらのものにおいては摩耗で消えてしまうことはないが、矢印指標が不明瞭であって、退避方向が判りにくいものであった。
【０００６】
これらの事情に鑑み、出願人は先に特願２０１８−７１９６０号として、たて糸とよこ糸とにより、前記たて糸が密になるように斜文織組織により織成してなるジャケットの内面に内張りを施してなる消防用ホースにおいて、前記ジャケットの周方向の一部に、斜文線の方向が前記斜文織組織とは逆となる斜文織組織を形成し、当該正斜文と逆斜文との一方の境界から両側にたて糸のほゞ同一本数に亙って、着色したたて糸と未着色又は別の色彩に着色したたて糸とを交互に使用することにより、明瞭なＶ字指標を表示したものを提案した。
【０００７】
しかしながらこのものにおいては、前記着色したたて糸により退避方向を示すＶ字指標を形成するので、消防用ホースを引き摺ってジャケットが摩耗されたとき、前記着色したたて糸が摩耗されて色彩が薄くなったり、Ｖ字指標が不鮮明となったりする可能性があった。
【先行技術文献】
【特許文献】
【０００８】
【特許文献１】特許第４９７９８４５号公報
【特許文献２】特開２００４-１３２４４３号公報
【特許文献３】実用新案登録第３０９１２９１号公報
【特許文献４】特許第６０９３８９３号公報
【特許文献５】特許第６１１６７３２号公報
【発明の概要】
【発明が解決しようとする課題】
【０００９】
本発明はかかる事情に鑑みなされたものであって、消防用ホースの一部に退避方向を示すＶ字指標を、前記ジャケットの織りにより表してなると共に、そのＶ字指標を美しく且つ明瞭に表示すると共に、摩耗によりＶ字指標が不鮮明となることを防止することを目的とするものである。
【課題を解決するための手段】
【００１０】
而して本発明は、環状に配置されたたて糸と、当該たて糸に対して螺旋状に織り込んだよこ糸とにより、前記たて糸が密になるように斜文織組織により織成してなるジャケットの内面に、内張りを施してなる消防用ホースにおいて、前記ジャケットの周方向の一部に、斜文線の方向が前記斜文織組織（以下正斜文と言う）とは逆となる斜文織組織（以下逆斜文と言う）を形成し、当該正斜文と逆斜文との一方の境界から両側にたて糸のほゞ同一本数に亙って、着色したたて糸と、当該着色したたて糸より断面積において５〜４０％太い未着色又は別の色彩に着色したたて糸とを、交互に使用したことを特徴とするものである。
【００１１】
本発明においては、前記着色したたて糸が、蓄光糸又は反射糸とすることができる。また本発明においては、前記ジャケットが、たて糸とよこ糸とを２／１斜文織組織により織られていることが好ましい。また本発明においては、前記逆斜文を形成した部分全体に亙って、着色したたて糸と未着色又は別の色彩に着色したたて糸とを交互に使用することが好ましい。
【００１２】
また本発明においては、前記ジャケットの周方向の複数個所に逆斜文を形成し、当該すべての逆斜文の箇所においても、前記正斜文と逆斜文との一方の境界から両側に、たて糸のほゞ同一本数に亙って、着色したたて糸と未着色又は別の色彩に着色したたて糸とを交互に使用することもできる。
【図面の簡単な説明】
【００１３】
【図１】本発明の消防用ホースの平面図
【図２】本発明のジャケットの組織図
【図３】図２のジャケットに着色たて糸を織り込んだ組織図
【図４】図３のジャケットの組織を模式的に示す模式図
【図５】図３のジャケットの表面図
【図６】図５におけるVI−VI断面図
【発明を実施するための形態】
【００１４】
以下本発明を図面に基づいて説明する。図１は本発明の消防用ホース１を示すものであって、２はジャケットであり、そのジャケット２の内面には柔軟なゴム又はプラスチックの内張り３が施されている。そして本発明においては、前記ジャケット２の表面に退避方向（図１においては右方）を示すＶ字指標４が、ジャケット２の織り組織により表示されている。
【００１５】
而して図２は本発明におけるジャケット２の組織図を示すものであって、このジャケット２は環状に配置されたたて糸５と、当該たて糸５に対して螺旋状に織り込まれたよこ糸６とにより、全体として２／１斜文織組織により織成されており、当該斜文織組織により大部分に左上がりの斜文線７が現れている。
【００１６】
なおこの明細書における以下の説明においては、前記左上がりの斜文線が現れる斜文織組織を「正斜文」と言い、これと逆方向の右上がりの斜文線が現れる斜文織組織を「逆斜文」と称する。
【００１７】
而してこのジャケット２における周方向の一部に、前記正斜文の斜文織組織とは逆の逆斜文による２／１斜文織組織により織られており、当該逆斜文の部分には右上がりの斜文線８が現れており、その正斜文と逆斜文との境界９、１０においては、斜文線７、８が山形に現れている。
【００１８】
而して本発明においては図３に示すように、前記正斜文と逆斜文との一方の境界９から左右両側に、たて糸５の同一本数に亙って、着色したたて糸１１と未着色のたて糸５とが交互に使用されている。
【００１９】
なお図３においては、前記逆斜文の部分全体に亙って着色したたて糸１１を配置し、前記正斜文と逆斜文との一方の境界９から正斜文側に、前記逆斜文の部分のたて糸１１と同一本数のみ着色したたて糸１１を使用しているが、かかる構成に限らず、逆斜文の部分の一部にのみ着色したたて糸１１を使用し、前記正斜文と逆斜文との一方の境界９から正斜文側に、前記逆斜文の部分のたて糸１１とほゞ同一本数に亙って着色したたて糸１１を使用することも可能である。
【００２０】
図４は前記図３に示されるジャケット２の組織を、たて糸５、１１及びよこ糸６を判りやすいように間隔を開けて模式的に示した図面であって、織り組織としては図３と全く同一の組織を示している。
【００２１】
そして図５は、図３及び図４に示されるジャケット２の表面図であって、前記着色したたて糸１１と未着色のたて糸５とにより前記ジャケット２の表面に現れる模様を表示した表面図であり、当該図５も織り組織としては前記図３および図４と同一の組織を示したものである。
【００２２】
ところで一般に消防用ホース１においては、地上で激しく引き摺って使用されることが多く、またジャケット２のよこ糸６が主として耐圧力を負担するので、消防用ホース１を引き摺ったときによこ糸６が損傷することがあってはならない。
【００２３】
そのためよこ糸６がジャケット２から露出しないようにするために、主としてジャケット２のたて糸５、１１が密になるように織成し、当該たて糸５、１１のみが表面に露出し、よこ糸６はたて糸５、１１に隠されてジャケット２の表面に露出しないように構成されるのである。
【００２４】
従って図４においてはよこ糸６がたて糸５、１１の間から大きく露出しているのであるが、現実のジャケット２においては、そのよこ糸６が露出した部分に両側からたて糸５、１１がせり出し、図５に示されるようによこ糸６はたて糸によって覆い隠され、たて糸５、１１のみがジャケット２の表面を覆った状態となるのである。
【００２５】
そのため着色されたたて糸１１がよこ糸６の両側からせり出して互いに接し、また未着色のたて糸５も同様によこ糸６の両側からせり出して接し、斜文線７，８とは逆方向の斜めの縞模様を現し、正斜文の部分では右上がりの縞模様１２を、逆斜文の部分では左上がりの縞模様１３を表現することとなり、図５に示すように上向きの矢印となるＶ字指標４を表現することとなるのである。
【００２６】
そして本発明においては、図６に示すようにＶ字指標４を表した部分において、未着色のたて糸として、着色されたたて糸１１よりも断面積において５〜４０％太いたて糸１４が使用されている。
【００２７】
例えばたて糸５及び着色されたたて糸１１が、２００texの糸条を６本撚り合わせた糸条を使用する場合において、太いたて糸１４として２００texの糸条を７本又は８本撚り合わせた糸条を使用するのが適当である。７本撚り合わせた場合には６本より合わせた糸条より１６．６％太く、８本撚り合わせた場合には６本撚り合わせた糸条より３３．３％太くなる。
【００２８】
なお以上に説明においては、着色したたて糸１１以外のたて糸はすべて未着色のたて糸であるものとして記載しているが、Ｖ字指標４を形成する部分においては、未着色のたて糸に代えて、前記着色したたて糸１１における色彩と別の色彩に着色したたて糸を使用することも可能である。
【００２９】
また以上の説明においては、ジャケット２の周方向の一箇所のみに逆斜文を形成することとしているが、かかる構成に限らず、ジャケット２の周方向の複数個所に逆斜文を形成し、当該すべての逆斜文の箇所においても以上の説明と同様にＶ字指標４を設けることもできる。
【００３０】
このようにすることにより、消防用ホース１がねじれた場合においても、いずれかのＶ字指標４が常に消防士の視界に入るので、常に消防士の退避方向を示すことができるので安全である。
【００３１】
本発明によれば、正斜文と逆斜文とにより左右対称の縞模様１２、１３を形成し、その縞模様１２、１３により図１に示すような美しく且つ明瞭な左右対称のＶ字指標４を表現することができるのであって、消防士は一目見て退避方向を知ることができ、安全に退避することが可能となるのである。
【００３２】
図１において消防用ホース１の右方を消防ポンプに、左方を筒先に接続すれば、前記Ｖ字指標４により消防士は自然に右方すなわちポンプに接続した端末方向に誘導され、安全に退避することができる。
【００３３】
また本発明によれば前記Ｖ字指標４をジャケット２の織りにより表現しており、着色したたて糸１１により表現しているので、摩耗などにより前記Ｖ字指標４が見えなくなるようなことがない。
【００３４】
さらに本発明によれば、前記Ｖ字指標４を表した部分において、未着色のたて糸が着色されたたて糸１１よりも太いたて糸１４を使用しているので、この部分が地面に擦られて摩耗した場合においても、未着色のたて糸１４のみが摩耗され、着色されたたて糸１１が摩耗されることが少なく、前記Ｖ字指標４が不鮮明となることがなく、より安全に退避することができるのである。
【００３５】
特に着色したたて糸１１として蓄光糸又は反射糸を使用する場合には、これらの糸は摩耗により機能を失いがちであるが、本発明においてはその着色したたて糸１１に隣接して太いたて糸１４があるため、着色したたて糸１が太いたて糸１４により保護され、摩耗されることがないのである。
【符号の説明】
【００３６】
１  消防用ホース
２  ジャケット
３  内張り
４  Ｖ字指標
５  たて糸
６  よこ糸
７  正斜文の斜文線
８  逆斜文の斜文線
９、１０  正斜文と逆斜文の境界
１１  着色したたて糸
１２、１３  縞模様
１４  太いたて糸
【図１】
2019193685.tif 000003
【図２】
2019193685.tif 000004
【図３】
2019193685.tif 000005
【図４】
2019193685.tif 000006
【図５】
2019193685.tif 000007
【図６】
2019193685.tif 000008